Podtech/llm-jp-corpus-v4-ja_patent huggingface dataset:
(57)【要約】【課題】従来、パチンコ遊戯場で長時間パチンコの遊戯を楽しんでいるとき、発射部を長く同じ姿勢を保ちながら遊戯していると、手や腕橈骨筋が疲れてくる。この疲れを解消するために本発明を提供する。【解決手段】  本発明は、図１、図２、図３、図４に示すように、パチンコ機の発射部の下部の壁面又はパチンコ機の前面カウンターに本発明品を設置して使用する。【選択図】      図１
2006015096.tif 000002
【特許請求の範囲】
【請求項１】
図５に示すように、手のせ台１０，上下調節柱１１，伸縮調節部１３，壁面支持金物１２からなる壁面取り付け式パチンコ遊戯時に手及び腕橈骨筋の疲れを和らげるためのパチンコ遊戯用手乗せ台
【請求項２】
図６に示すように、手乗せ台１０，上下調節柱１１，カウンター支持金物からなるカウンター取り付け式のパチンコ遊戯時に手及び腕橈骨筋の疲れを和らげるためのパチンコ遊戯用手乗せ台
【発明の詳細な説明】
【発明の詳細な説明】
【技術分野】
【０００１】  本発明は、パチンコ遊戯時に腕又は手を乗せる手乗せ台を提供する。
【背景技術】
【０００２】  従来、パチンコ遊技場で長時間パチンコを遊戯していると、手や腕橈骨筋が疲れていた。
それを解消する器具、機器、装置の先行技術の検索を試みたが先行技術の資料は掲載されてない。
また、パチンコ機等の雑誌等数冊購入し調べてみたが、そのような記事は掲載されていなかった。
【発明の開示】
【発明が解決しようとする課題】
【０００３】  本発明は、パチンコ遊技場でパチンコを長時間していると、手や腕橈骨筋が疲れていた。
最近のパチンコ遊戯場は、設備も豪華になり、また、来客者数も多くなっている。特に女性客の大幅な伸びでもある。
しかも、最近のパチンコ遊戯場の傾向として、設備の充実、出玉率の向上等の競争で、客をいかに長時間店内に留めておくかが問題になっている。
そんな中、パチンコを数時間やっていると、手や腕橈骨筋が疲れてくる、それらを解消するために、手や腕を乗せる台を設置することにより、いかに長時間、客に遊戯を楽しんでもらうことができるかという観点から本発明はなされたものである。
【課題を解決するための手段】
【０００４】  前述した課題を解決するために本発明はなされたものであるが、本発明は、取り付ける場所によって２つの種類がある。
その一つは、パチンコ台を据え付けてある台の下の壁面に取り付けるもの、図１、図２であり、もう一つは、パチンコ台の前面のカウンターに取り付けるもの、図３、図４である。【０００５】  まず最初に前記したパチンコ台を据え付けてある台の下の壁面に取り付けるものを図によって説明する。
図５に示すように、手乗せ台１０，上下調節柱１１，伸縮調節部１３，壁面支持金物１２から構成される。
これらの部位は各々別々のものではなく、一体化したものである。
手乗せ台１０は、語句どおり手を乗せる台である。上下調節柱１１は、高さの調節をするためのものである。この上下調節柱１１は、図９、図１０で示す通り、円筒形状のものを使用する。
伸縮調節部１３は、左右の長さを調節するためのものである。この伸縮調節部１３は図７，図８で示すように、角柱状のものを使用する。
また、図１１で示す伸縮調節部Ｂ１５は、壁面からの長さを調節する。この伸縮調節部Ｂ１５は、伸縮調節部１３と同様に図７，図８で示すように、角柱状のものを使用する。
最後に、壁面支持金物１２は、図１１で示すように本発明の壁面取り付け型手乗せ台２をパチンコ台を設置する台の下の壁面に取り付ける部位である。【０００６】  次に、図６に示すカウンター取り付け型について説明する。
図６に示す通り、このカウンター取り付け型も手乗せ台１０，上下調節柱１１，カウンター支持金物１４から構成されているが、一体化したものである。
この場合各部位の説明は前記したので省く。【０００７】  ここで、図７，図８の部位について詳細に説明する。
まず、伸縮調節部１３について説明する。この部材に角柱部材を利用したのは、滑り止めのためである。丸材を使用すると、滑りやすく安定が悪い。
図７で示す通り、ピストンの適当な位置にピストン固定ボール２２を埋め込みその内側からスプリング２４で外への力を働かせる。
伸縮調節部品シリンダ（外筒）２０の適当な位置に上記固定ボール２２を受けるピストン固定ボール受溝２３をつくり、これで、伸縮調節の固定をする。【０００８】  次に、図９，図１０について詳細に説明する。
この上下調節柱１１は、高さの調節をするものである。この場合の部材は、別に角柱部材にこだわらず、丸柱でもいい。高さの調節固定は前記の伸縮調節部１３と同様のため省略する。
【発明の効果】
【０００９】  本発明のパチンコ遊戯用手乗せ台を使用することにより、パチンコ遊戯愛好家は、手や腕橈骨筋の疲れが解消し、パチンコ遊戯経営者は、長時間お客さんが遊戯してくれるため、経営者も遊戯するお客さんにもいい結果が期待できるものと思われる。
【発明を実施するための最良の形態】
【実施例１】
【００１０】  本発明のパチンコ遊戯用手乗せ台と同様な携帯式のパチンコ遊戯用手乗せ器具も考案できる。
例えば、折りたたみ式で、ショルダーバッグに入る小さなものは特に女性には好評であると考えられる。
また、希望者にのみ貸し出しするようなパチンコ遊戯用手乗せ器具も考えられる。
【図面の簡単な説明】
【０００７】
【図１】本発明をパチンコ台の下の壁面に設置したときの正面図
【図２】本発明をパチンコ台の下の壁面に設置したときの斜視図
【図３】本発明をパチンコ台の下のカウンターに設置したときの正面図
【図４】本発明をパチンコ台の下のカウンターに設置したときの斜視図
【図５】本発明の壁面取り付け型の正面図
【図６】本発明のカウンター取り付け型の正面図
【図７】本発明の伸縮部分詳細図
【図８】本発明の伸縮部分の断面図Ａ−Ａ′
【図９】本発明の上下調節部分詳細図
【図１０】本発明の上下調節部分の断面図ａ−ａ′
【図１１】本発明の壁面取り付け型を取り付けた側面図
【図１２】本発明のカウンター付け型を取り付けた側面図
【符号の説明】
【０００８】１．遊戯機
２．本発明品
３．カウンター
１０．手乗せ台
１１．上下調節柱
１２．壁面支持金物
１３．伸縮調節部
１４．カウンター支持金物
１５．伸縮調節部Ｂ
２０．伸縮調節部品シリンダ（外筒）
２１．伸縮調節部品ビストン（内筒）
２２．ピストン固定ボール
２３．ピストン固定ボール受溝
２４．スプリング
３０．上下調節柱シリンダ（外筒）
３１．上下調節柱ピストン（内筒）
【図１】
2006015096.tif 000003
【図２】
2006015096.tif 000004
【図３】
2006015096.tif 000005
【図４】
2006015096.tif 000006
【図５】
2006015096.tif 000007
【図６】
2006015096.tif 000008
【図７】
2006015096.tif 000009
【図８】
2006015096.tif 000010
【図９】
2006015096.tif 000011
【図１０】
2006015096.tif 000012
【図１１】
2006015096.tif 000013
【図１２】
2006015096.tif 000014
(57)【要約】      （修正有）【課題】肩の痛み、懲り、ヒジ痛、など現在は、指圧、薬，磁氣や温泉などいろいろな解消法があり，どれもすばらしい方法であるが自分本人の意思でなく外部からの助けによるものであった。【解決手段】この発明は、ヒジ痛、肩こり筋肉痛や、腕，肩の運動の予備体操を、逆手握り円柱バネを利用し、日頃使っていないうごきや力を指、腕、ヒジ，肩に軽い付加と動きを、くわえることで、健康な体を維持していく手伝いをする道具である．【選択図】図４
2006015094.tif 000002
【特許請求の範囲】
【請求項１】
半円柱の切り口面にバネを二，三か所設け、又対面する半円柱に固定させる。
【請求項２】
円柱バネを手で、逆手で握り肩、ヒジ、指に強弱のちからを入れながら腕を上段、胸、胸前、下段を繰り返す。
【請求項３】
日頃使っていない筋肉を、円柱バネをつかい運動する事で肩こり、ヒジ痛を解消させる手伝いをする道具。
【請求項４】
バネをステンレスバネに、切り替えると，さびない利点を利用すると温泉や家庭の風呂の中に、湯につかりながら利用できることを特徴と、する円柱バネ。
【発明の詳細な説明】
【技術分野】
【０００１】本発明は、手のひらで握れる範囲の、円柱形状または楕円柱形の形をした（木材、鉄、プラスチック）を縦に半分にカットし、その切り口にバネを二、三ヶ所設け固定反発させ  人の握力に合わせたバネを設け、逆手に握り  右手指は上部（半分にカット）を握り  左手指は下部側（半分にカット）を受け握り握力を、時々加えて  腕を頭上、胸、胸前、下段と肩、ひじ、指に力の段差を加え  運動、仕事など腕、肩、ひじに  日頃使う筋肉の  反対の動作を加える事で  筋肉の衰えや、筋の凝りを、この円柱バネ（道具）と運動の動きでほぐし  痛み、こりを、解消させる手伝いを助成させる道具である。
【背景技術】
【０００２】従来は肩こり  ヒジ痛の解消ほうとして  マッサージ  薬  磁気など数々あり  その場  その時の期間の解消であり  自分本人のからだの意思でなく外部からの  助けによるものであった。【０００３】
【特許文献１】
【発明が解決しようとする課題】
【０００４】  肩の痛み、凝り、ヒジ痛、など現在は、指圧、薬，磁気や温泉などいろいろな方法がありその方法は外部からの助けによるものでありからだ本人の意思でなかった。
【０００５】本発明は以上のような従来の方法（欠点，良い点）の他に、本人の意思による肩こり、肘痛を和らげる簡単な道具を提供するものである。
【課題を解決するための手段】
【０００６】上記目的を、達成するために、本発明は、円柱バネ（道具）を逆手にもち、左右の手の平に片方のどちらかの半円柱形を、逆手に握り対面する半円柱形を残りの手で握り交差せるように手を握り、握力の強弱を，加えると同時にヒジと肩に、曳く力を加え左右に曳き強弱を、繰り返し（道具）を握ったまま左右の腕を、上にあげヒジ、肩に、握った指とヒジ、肩、に同時に強弱の曳く力を加え（上段、中断、下段、中段、上段）に分わけ強弱を、繰り返し力を入れ、抜く、入れの動作を繰り返しおこなう事で  肩、ひじに日頃使わない腕や筋肉、筋の健康維持を助勢させる。
【発明を実施するための最良の形態】
【０００７】以下図面に従って一実施例を説明する。【０００８】図１において、円柱形本体を、半分にカットし半円柱形１ａ、１ｂに分け  対面する両面にバネ２を二、三箇所直角、並列に設ける。【０００９】次に使用法と動作を説明する。
３本体（道具）を左の手に乗せ右手１ａ、１ｂを両手の指で、逆手握りにして添えバネ２が沈むまで、握力を加える。【００１０】本体３を握手したまま、腕、ひじ、肩に力を加え、上段は、腕を伸ばし中段は胸の前もっていき  下段も本体３を握手したまま腕を伸ばし下げ、肩、肘に力を断続に加えて  左右の指を曳きバネ２の収縮を数回繰り返す。
【考案の効果】
【００１１】上述のように本体３を指で握り左右の腕力で曳き  上、中、下と引く力の強弱をつけることによってヒジ、肩の筋肉の筋が引っぱられ日頃使ってない筋肉を、曳くことにより健康を、たもち運動機能をたかめる手助けする道具３である。
【図面の簡単な説明】
【００１２】
【図１】正面図
【図２】側面図
【図３】上面図
【図４】全体の透視図
【符号の説明】
【００１３】１ａ右半円柱
１ｂ左半円柱
２バネ
３本体
【図１】
2006015094.tif 000003
【図２】
2006015094.tif 000004
【図３】
2006015094.tif 000005
【図４】
2006015094.tif 000006
(57)【要約】【課題】  本発明は、ゴルフシューズの側面にブラシを設けることで、ゴルフプレーにおいて、素振りなどによりゴルフクラブのフェース面に付着する芝や土を、手やズボンの裾で拭くことなく払い取ることができるブラシ付きゴルフシューズを提供するものである。【解決手段】  柔軟性のある基盤に適度な毛足の長さと硬さのブラシ２を、ゴルフシューズ１の側面に固定またはスナップなどにより脱着可能な形態で設ける。また、ゴルフシューズ１の底部材の側面もしくは該シューズの側面部分に、ブラシ状突起４を設けることでゴルフプレー中、素振りなどによりゴルフクラブのフェース面に付着する芝や土を簡単に払い取ることができる。【選択図】  図１
2006015092.tif 000002
【特許請求の範囲】
【請求項１】
歩行またはゴルフプレーに支障を来さない程度の大きさで柔軟性のあるブラシ基盤に、ゴルフクラブのフェース面に付着した芝や土などを払い取ることのできる適度な毛足の長さと硬さの毛を植え付けたブラシを、ゴルフシューズの側面に固定または脱着可能な形態で取り付けたことを特徴とするブラシ付きゴルフシューズ。また、既存のゴルフシューズに捩れを吸収できる形状に加工した前述のブラシを、粘着テープまたは接着剤などで単数または複数取り付けたことからなるブラシ付きゴルフシューズ。
【請求項２】
歩行またはゴルフプレーに支障を来さない適度な長さのブラシ状突起を、ゴルフシューズの底部材の側面または、該シューズの側面部分に一体形成加工することからなるブラシ付きゴルフシューズ。
【発明の詳細な説明】
【技術分野】
【０００１】  本発明は、ゴルフ用具に係わり、ゴルファーが一般的に行うショットの前の素振りなどによってゴルフクラブのフェース面に付着する芝や土などを、簡単に払い取ることができるように、側面にブラシを設けたゴルフシューズに関するものである。
【背景技術】
【０００２】  従来は、前述のような場面でゴルフクラブのフェース面に付着した芝や土などは、手やズボンの裾などで拭くか、拭き取り用のタオルなどを持ち歩くなど不便であった。
【発明の開示】
【発明が解決しようとする課題】
【０００３】  本発明は、このようなゴルフプレーにおける問題点に鑑みてなされたもので、ゴルフプレー中、ゴルフクラブのフェース面に付着した芝や土などを拭き取るわずらわしさを解消しようとするものである。
【課題を解決するための手段】
【０００４】  本発明は、ゴルフクラブのフェース面に付着した芝や土などを払い取るためのブラシをゴルフシューズの側面に設けることで、前述の問題点を解決することができる。
【発明の効果】
【０００５】  本発明のブラシ付きゴルフシューズは、前述のように設けたブラシで必要な時、いつでもゴルフクラブのフェース面に付着した芝や土などを払い取ることができる。またグリーン上では、ゴルフボールに付着した芝や砂なども払い取ることができるので、従来のように手や衣服を汚さないで快適にゴルフプレーを楽しむことができる。
【発明を実施するための最良の形態】
【０００６】  本発明の目的を達成する為には、柔軟性のある基盤に適度な毛足の長さと硬さの毛を植え付けたブラシを、ゴルフシューズの側面に固定または脱着可能な形態で設ける。また、ゴルフシューズの底部材や該シューズの側面部分をブラシの形状に一体形成加工する。
【実施例１】
【０００７】  図１に示すように、ゴルフシューズ１の側面に固定、またはスナップなどにより脱着可能な形態で前述のブラシ２を設ける。
【実施例２】
【０００８】  図２に示すように、既存のゴルフシューズ１の側面に、該シューズの捩れによる剥がれが生じないように、捩れを吸収できる形状に加工した前述のブラシ２を粘着テープまたは接着剤３などで装着する。
【実施例３】
【０００９】  図３に示すように、ゴルフシューズ１の底部材の側面に該シューズと一体でブラシ状突起４を設ける。
【産業上の利用可能性】
【００１０】  昨今のゴルフシューズは快適な履き心地であり、ゴルフシューズ本来の機能としては申し分のないレベルに達していると思われます。しかし、本発明のブラシ付きゴルフシューズは、快適にゴルフプレーできるだけのゴルフシューズに止まらず、ゴルフシューズ本来の機能に加え、ゴルフクラブやゴルフボールの清掃もできるという付加価値を与えることができる。
【図面の簡単な説明】
【００１１】
【図１】ゴルフシューズの側面にブラシを設けた状態の右足用正面図。
【図２】既存のゴルフシューズの側面にブラシを複数付けた状態の右足用正面図。
【図３】ゴルフシューズの底部材の側面に該シューズと一体でブラシ状の突起を設けた状態の右足用正面図。
【図４】ゴルフシューズの底部材の側面に該シューズと一体でブラシ状の突起を設けた状態の右足用平面図。
【符号の説明】
【００１２】  １  ゴルフシューズ
２  ブラシ
３  粘着テープまたは接着剤
４  ブラシ状突起
５  スパイク
６  靴ひも
【図１】
2006015092.tif 000003
【図２】
2006015092.tif 000004
【図３】
2006015092.tif 000005
【図４】
2006015092.tif 000006
(57)【要約】【課題】  陳列する物品の形状や大きさに合わせて平面的のみならず立体的にも自在に物品の位置を固定する保持具を設置できる物品陳列台用のフレームを提供する。【解決手段】  長さを調整できるように取り外し可能な連結式とした小片のフレーム部材を凹凸嵌合により連結させることで連続する凸部分が４箇所得られる十字断面のフレームとなり、フレームの凸部分にフレーム部材やジョイント部材が嵌合することにより平面的や立体的に物品の保持具をフレームの任意の位置で固定できるようにする。【選択図】図１
2006015100.tif 000002
【特許請求の範囲】
【請求項１】
コの字型凹部分を少なくとも１箇所設けた同一形状のフレーム部材を、コの字型凹部分を用いた取り外し可能な凹凸嵌合によって複数を互いに連結させることにより、連続する凸部分が長手方向に得られる十字断面のフレームとなり、当該フレームの凸部分にフレーム部材のコの字型凹部分が取り外し可能な嵌合により連結することにより複数のフレームを平面的および立体的に連結できることが特徴の物品陳列台用フレーム。
【発明の詳細な説明】
【技術分野】
【０００１】  この発明は物品を整理し陳列するための連結式の物品陳列台用フレームに関するものである。
【背景技術】
【０００２】  従来、円柱形や円形など平面上に置いた場合不安定であったり、単独で自立しなかったり、その他物品をより見栄え良い状態で安定して陳列棚等の上に物品を陳列する陳列台は物品の形状や数量に合わせた定尺の物が用いられてきた。
【発明の開示】
【発明が解決しようとする課題】
【０００３】  したがって、陳列する物品の配置を入れ替えたり数量を変更する際にはその都度陳列台も新たに用意する必要が生じる場合もあったため、物品の配置や数量に幅広く応じて組み替えができる陳列台とするための陳列台用のフレームが求められてきた。
【課題を解決するための手段】
【０００４】  コの字型凹部分を少なくとも１箇所有する同一形状のフレーム部材（１）をコの字型凹部分を用いた取り外し可能な凹凸嵌合によって互いに連結させる。【０００５】  それにより十字断面の１本のフレーム（１ａ）となり、４箇所に連続する凸部分が長手方向に得られる。【０００６】  フレーム部材（１）のコの字型凹部分はフレーム（１ａ）の凸部分にも取り外し可能に嵌合する。
【発明の効果】
【０００７】  本発明は以上のような構造により、様々な物品の形状や数量に合わせて最適な陳列台用のフレームを得られる。
【発明を実施するための最良の形態】
【０００８】  以下に実施の形態例を示す。
フレーム部材（１）同士は取り外し可能な凹凸嵌合により直接に連結することで連続した十字の断面で、即ちフレーム長手方向に連続した４箇所の凸部分を有する１本のフレーム（１ａ）となる。【０００９】  フレーム部材（１）のコの字型凹部分はフレーム（１ａ）にある４箇所の凸部分にも取り外し可能に嵌合するため、複数のフレーム（１ａ）を平面的のみならず立体的にも連結させることができる。【００１０】  レール部材と同様のコの字型凹部分を２箇所もしくは２箇所以上設けたジョイント部材（２）によりフレームの凸部分同士を連結できるようにすれば、より多様な形態でフレームを連結できる。【００１１】  ヒンジ構造を有するジョイント部材（３）により、多様な角度でレールを連結できる。【００１２】  フレームの凸部分には、レール部材と同様のコの字型凹部分を有する物品を保持するための物品保持部材（４）も嵌合できるようにする。【００１３】  物品保持部材は（４）単純な突出部分で物品の位置決めの用を成す物でも良いし、物品の形状に合わせた物を複数用意しても良い。【００１４】  レール部材とジョイント部材と物品保持部材（以下各部材）のコの字型凹部分先端部分（５）の角度を４５度もしくは４５度より鋭い角度、あるいは同じフレーム上に隣り合って嵌合する各部材が干渉しない形状にすればフレーム長手方向同じ位置の４箇所のフレーム凸部分に各部材を嵌合できる。【００１５】  フレーム凸部分側面となる部分をフレーム長手方向に対して直交するギザ状面または細かい凹凸状（６）とし、各部材のコの字型凹部分には前述フレームのギザ状面または細かい凹凸に噛み合うように同様のギザ状面または細かい凹凸（７）を設けることでフレーム長手方向に物品保持部材が不用意にスライドすることを防ぐことができる。【００１６】  各部材の素材は樹脂等の弾性と摩擦によりしっかりと嵌合するのが望ましいが、樹脂以外でも同様の形態に成す物であれば良い。【００１７】  （図９）は円筒形の陳列物（８）を斜めに立て掛けた状態で陳列してある実施例である。
【図面の簡単な説明】
【図１】本発明の斜視図
【図２】レール部材
【図３】レールの凸部分に嵌合するレール部材
【図４】ジョイント部材を用いたレール部材の連結
【図５】ヒンジ構造を有するジョイント部材を用いたレール部材の連結
【図６】フレーム長手方向の同じ位置の４箇所のフレーム凸部分に嵌合する各部材
【図７】各部材コの字型凹部分先端の角度を示す正面図
【図８】各部材に設けたギザ状面または細かい凹凸
【図９】実施例斜視図
【符号の説明】
１    フレーム部材
１ａ  フレーム
２    ジョイント部材
３    ヒンジ構造を有するジョイント部材
４    物品保持部材
５    各部材のコの字型凹部分先端の角度
６    フレーム凸部のギザ状面または細かい凹凸
７    各部材のコの字型凹部分のギザ状面または細かい凹凸
８    実施例の円筒形陳列物
【図１】
2006015100.tif 000003
【図２】
2006015100.tif 000004
【図３】
2006015100.tif 000005
【図４】
2006015100.tif 000006
【図５】
2006015100.tif 000007
【図６】
2006015100.tif 000008
【図７】
2006015100.tif 000009
【図８】
2006015100.tif 000010
【図９】
2006015100.tif 000011
(57)【要約】【課題】  本発明は、従来ラーメンの小さな具（コーン、キザミネギ）をすくうには、レンゲを使用するために、椀状部のレンゲの中がスープで満たされ、小さな具は逃げられ苦労し又、レンゲも度々ドンブリの中に沈み苦労した。【解決手段】  この発明は、ラーメンを食する時に  従来使われているレンゲに、スープをすくいくみ貯める椀上部器に，片面右上部に五分一ほどスープがこぼれ落ちる様に、数個の穴をあけてあることで、小さな具を逃がさず救う事ができ、底に沈んだ具（コーン）はレンゲ手前に設けたフォーク（薄い）ですくい上げ  又、麺もフォークで食する事が容易に出来ることを目的とし  さらに吸い口溝を設け介護を要する老人のように、スープをうまく吸えない人にもこぼさず吸うことができ  女性のように口紅の落ちることを気にする人でも、唇をスープで汚すことの無い様にすることを目的とし、レンゲひとつで  多目的なアイデアを合成合体させた三味一体のレンゲである。【選択図】      図３
2006015093.tif 000002
【特許請求の範囲】
【請求項１】
ラーメンのスープを食するさい小さな具をすくう場合スープに満たされ具がにげられるのを防止するスープをにがす棚（段差をつけた）に、数個の穴を設けたことを特徴とするレンゲ。
【請求項２】
スープたまりのスープを食するさいレンゲの縁にスープの吸い口を設けた事を特徴とするレンゲ。
【請求項３】
麺を食するときもレンゲの縁にフォークを設け一個のレンゲで多目的な機能を備えたことを、特徴とするレンゲ。
【発明の詳細な説明】
【技術分野】
【０００１】本発明は、ラーメンを食するとき  麺とスープは、箸やレンゲを用いて食するが  本発明の三味一体レンゲを用いて使用する時、スープをレンゲで具をすくった場合いにレンゲ本体に、複数の数個の小さい穴（計算された穴）が適量のスープを逃し  具、スープもどうじに、逃がさず食することができる  又、レンゲの片面上部に、麺をすくいあげるフォーク状部を設け、対面のレンゲの縁には、スープが飲みやすい様くちびるに合わし吸い口の溝を設け、もち手柄の上先端部にはラーメン容器（どんぶり）の縁にかかる様に  鍵状部に設けてありフックできる。
【背景技術】
【０００２】従来は、ラーメンの小さな具（トッピング、コーン、キザミネギ）をすくうには、レンゲですくい、椀状部のレンゲの中がスープで満たされ、小さな具は逃げられ苦労しレンゲも度々ドンブリの中に沈み又、麺をはさみ上げるには，箸で食していた。【０００３】
【特許文献１】実願平３−６１７８８（図面２）
【発明が解決しようとする課題】
【０００４】従来のレンゲはスープを、すくいとることに主眼を置いているのでレンゲの底に具や麺を中々とらえきれない欠点があり、レンゲの縁に、スープを流しだす溝の穴が無い為に、唇全体にスープがつき、また介護を必要とする老人のような人は  うまくスープが飲めずこぼすことが度々あり、女性の方たちもスープを吸うときに  唇全体にスープが付いてしまい口紅が落ちるのを気にしながら、スープを吸わなければならないという欠点があった。
本発明は、以上のような従来の欠点を解決し、ラーメンを食するさいにレンゲに穴を数カ所設けスープや具も同時に、食させる三味一体のレンゲを提供することを目的としている。
【課題を解決するための手段】
【０００５】上記目的を達成するために、本発明はレンゲ椀状部の上部分に、片面縁に本体より薄いフォーク状部と対面する縁に受け口溝を  レンゲ中央付近に設け構成し  スープをすくいためるスープ溜まり部を  段差をつけ、椀状部のレンゲ容器（容積）に椀状底部溜まり部の上部に、数個の穴を開け構成しスープの椀状部に容積の（約五分一）が穴から流れ落ち抜ける様、穴を構成し、スープをレンゲで食するには、レンゲの縁を唇に合わし吸い口の溝を設けて飲みやすく  また、レンゲの柄上部にはラーメン容器（ドンブリ）の縁に掛かるフック部分を、構成しレンゲがスープの中に沈むのを防止させ  三味一体レンゲを使用するときは、手をもちかえ（右手、左手）スープを飲むときは、口あたりのよい（フォークの構成していない対面の縁）を使い分け食する。
【発明を実施するための最良の形態】
【０００６】以下、図面に示す実施の形態により、本発明を詳細に説明する。【０００７】図２ないし図３の本発明の実施の形態において、図２はレンゲのスープをすくいためる容器に本体（２）にもち手柄（１）底上部に、数個の穴（６）を構成させスープが満杯に、なるのを、防止させ浮いた小さな具を逃がすことなくすくいとることができる。【０００８】フォーク（３）は椀上部本体（２）の片面の縁に構成し麺を、からまし食すことができる。【０００９】フォーク（３）の対面する本体（２）の縁に、スープを食するため口当たりのよい吸い口溝（９）を設け  手を持ち替えて（左手）食する。【００１０】図３は、スープをすくい貯めるレンゲ容器の内側面底辺に、スープ溜まり（４）と上部にスープを逃がす数個の穴（６）を、段差（７）をつけ構成する。【００１１】もち手柄（１）先端部をラーメンの容器（ドンブリ）の縁に掛かるようカギ状にフック（５）を構成しスープの中にしずむのを防止できる。
【発明の効果】
【００１２】以上の説明から明らかなように、本発明にあっては次に列拳する効果がえられる。
【００１３】レンゲ本体（２）椀上部の上部分に、スープをにがす数個の穴（６）から、五分一ほどにがすことで、小さな具も一緒に、すくうことができ、スープは縁に設けてある吸い口溝（９）で飲みやすく、麺もフォーク（３）を使って一つのレンゲで食し出来  レンゲの柄（１）のもち手上端部は、ドンブリ（ラーメン容器）の縁にフック（５）させる様に構成してある。
【図面の簡単な説明】
【００１４】
【図１】全対の平面図
【図２】正面図
【図３】全体の斜視図
【符号の説明】
【００１５】１：柄
２：本体
３：フォーク
４：スープ溜まり
５：フック
６：数個の穴
７：段差
８：レンゲの底部
９：受け口溝
【図１】
2006015093.tif 000003
【図２】
2006015093.tif 000004
【図３】
2006015093.tif 000005
(57)【要約】      （修正有）【課題】折りたたみが容易で、携帯に便利な椅子を提供する。【解決手段】座１の底部前方左右に設けた座金７を回転軸とする脚部３及び足部４、４’を、後方背当て２方向に回転させ収納することを特徴とした折りたたみ椅子である、蝶番の原理を応用した不可逆折装置５にて座１と脚部３とを繋ぎ、一方にのみ折りたためる支柱とした。  たたんである椅子を持ち上げ、マグネット１０、１０’を離すことにより、脚部３、足部４、４’は回転、落下する。その勢いで、背当て２に対し脚部３は９０度以上となる、そのとき蝶番式ユニット５、５’は開き、スプリング７の作用により閉じようとするが、背当て２に対し脚部３が９０度のとき蝶番式ユニットの不逆折装置により固定するため、支柱となる【選択図】    図１
2006015098.tif 000002
【特許請求の範囲】
【請求項１】
一方にのみ折りたためる蝶番の原理を応用した不可逆折装置〔図５〕を座１と脚部３とを繋ぐ支柱とし、脚部３及び足部４、４’を後方向に回転させ収納することを特徴とした折りたたみ椅子。
【発明の詳細な説明】
【技術分野】
【０００１】  本発明は〔介護用移送具  特開２００１−３１９９８８〕を使用し、距離の長い階段等を移送の際、踊り場等での途中休息用椅子として考案した。
階段及び傾斜地で「介護用移送具」を使用して被介護者を移送する途中、二人の介護者の一人が片手にて簡単に折りたたむ事のできる椅子を提供する。
【背景技術】
【０００２】  従来のパイプ椅子は軽量ではあるが縦方向の折りたたみ式であるため、持ち歩きに不便である。
特開平０９−０１００５９
特開平１０−お７５８４３
本考案は脚部３及び足部４、４’を後方向に回転させ収納する方式を採用したことにより、介護用移送具に折りたたみ椅子を装着したままでも使用できるので、被介護者を搬送の途中随時の休息を可能にした。
【発明の開示】
【発明が解決しようとする課題】
【０００３】  「介護用移送具」に椅子を装着したまま抱え上げ階段を移送する場合、椅子の足が階段の上角部に接触し、安定を失う危険がある。
椅子の脚部分を上下に折りたたむ場合、脚部分をクロスさせ、前後に折りたたむ方式や、脚を内側に折りたたむ方式などがあるが、椅子を使用するまえに予め脚をたたんでおく必要がある。
【課題を解決するための手段】
【０００４】  本発明は、座１の底部前方左右に設けた座金８を回転軸とする脚部３及び足部４、４’を、後方背当て２方向に回転させ収納することを特徴とした折りたたみ椅子に係るものである。【０００５】  一方にのみ折りたためる蝶番の原理を応用した不可逆折装置５、５’を、座１と脚部３とを繋ぐ支柱とした。〔図２〕。【０００６】  左右に取り付けた不可逆折装置５、５’を連結し、左右どちらかの装置を操作すると左右同時に作動する様にした。
これにスプリング７を加え、以下この装置を蝶番式ユニットという。
【発明の効果】
【０００７】  背当て２を持ち上げ、マグネット１０、１０’を離すことにより、脚部３、足部４、４’は回転、落下する。その勢いで、背当て２に対し脚部３は９０度以上となる、そのとき蝶番式ユニットは開き、自重にて少し逆折れ状態になる、スプリング６の作用により閉じようとするが、背当て２に対し脚部３が９０度のとき蝶番式ユニットの不逆折装置により固定するため、支柱となる〔図２〕、〔図３〕。【０００８】  折りたたむ場合、背当て２を持ち上げ、不可逆折装置５を後外方向矢印１１から押すと、脚部３、足部４、４’はスプリング６の作用により、半折りたたみ状態となる〔図３〕。【０００９】  マグネット１０、１０’が完全に接するまで折りたたむのであるが、スプリング７の作用により、操作が容易である。【００１０】  介護用移送具は使用の際、介護者二人の両手が比較的自由であるため、本折りたたみ椅子を装着し、非介護者を搬送途中での蝶番式ユニットの操作は容易である。【００１１】  これまでの介護用移送具〔特開２００１−３１９９８８〕にては、比較的長距離の搬送や、体重の重い被介護者を搬送する際、休息用の椅子を持ち歩く介護者が一人必要である等の不便があった、本折りたたみ椅子を装着し、搬送することにより、途中休息が容易となる。
【発明を実施するための最良の形態】
【実施例１】
【００１２】  本折りたたみ椅子は〔介護用移送具  特開２００１−３１９９８８〕に部品として附加するために考案したものであるが、単独にては椅子として使用できる。
【実施例２】
【００１３】  本折りたたみ椅子は脚部３、足部４、４’を後方に回転し収納するので、
折りたたんだ状態にては脚部３が水平となるので、座椅子としても使用できる。
【産業上の利用可能性】
【００１４】  自動車や車椅子が行ける住宅には介護サービスの送迎が行われているが、
長崎市等、斜面地や階段の多い地域では、車椅子が通れない高い所に昔からの住宅があり、そこに、お年寄りが取り残されている。
住宅から送迎車までの人力の搬送用に介護用移送具〔特開２００１−３１９９８８〕を開発し、本発明はその補足のためであったが、その他のビルの階段、玄関前の段差、等の移送に幅広く利用できる。
【図面の簡単な説明】
【００１５】
【図１】折りたたみ椅子の斜視図である。（座板、背当て板を除く）
【図２】折りたたみ椅子の側面図である。
【図３】椅子の半折りたたみ状態を示した。
【図４】椅子を折りたたんだ状態である、図に示すように座椅子となる。
【図５】不可逆折装置の主要部品図である。
【符号の説明】
【００１６】    １  ：  座
２  ：  背当て
３  ：  脚
４  ：  足
４’：  足
５  ：  不可逆折装置Ａ側
５’：  不可逆折装置Ｂ側
６  ：  ストッパー
７  ：  スプリング
８  ：  座金
９  ：ユニット座金
１０  ：マグネット
１０’：マグネット
【図１】
2006015098.tif 000003
【図２】
2006015098.tif 000004
【図３】
2006015098.tif 000005
【図４】
2006015098.tif 000006
【図５】
2006015098.tif 000007
(57)【要約】【課題】雨天時の外出時は、手荷物が片手に制約される。。自転車では片手運転及び片ブレ−キで咄嗟の対応には危険を伴う、これらの不自由と安全を可能にする。【解決手段】雨天時等傘を持つと片手が制約される、傘使用時に両手使用を可能にする事は、強力ナイロンベルトと、斜め吊りベルトに真鍮又はステンレスのハ−ト蝶番及びリング固定部品を介して、体に装着する事で、傘使用時にシンプルで、且つ両手が自由に使えるようにする。【選択図】なし【特許請求の範囲】
【請求項１】
強力ナイロンベルトを胴ベルトに、斜め吊りベルトを接合し、真鍮又はステンレスのリングとハ−ト型、蝶番組合せバンドに、洋傘を上半身に装着して、雨天外出時に、シンプルで両手が使えることを特徴とする、アンブレラ楽々バンド。
【発明の詳細な説明】
【技術分野】
【０００１】本発明は傘をさして外出するときに、両手で手荷物の持ち運びが容易なバンドに関するものである。
【背景技術】
【０００２】従来傘をさしての外出は、片手が傘を持っているため、手荷物が片手しか持てない、又手荷物が重いとき、持ち替えて腕を休めることが出来ない。【０００３】雨天に自転車で、外出するとき傘を片手に、運転するが、咄嗟の片手ブレ−キは極めて危険である。【０００４】杖を必要とする、老人や、体が不自由な人が、傘（日傘を含む）を必要とする外出を躊躇する。【０００５】特許及び実用新案の公開広報調査の結果、昭和３７年実用新案出願広告昭４０−１４６８７に傘の保持器が出願されているが、機械的でものものしく、使用を躊躇する。平成１５年実用新案登録第３０９６７１０号に手を放してもさした状態を保つ傘の支持具が登録されているが、カバンと支持具の併用であり、肩に乗せての使用で、錘による安定は小さな風でも不安定になり使用が難しい。まして自転車での使用は出来ない。傘使用に関する出願が二点有りましたが、通常一般人の利用性が低い。
【発明の開示】
【発明が解決しようとする課題】
【０００６】解決しようとする問題点は、傘を手で持たずに外出出来ることである。
【課題を解決するための手段】
【０００７】  本発明は、強力ナイロンベルトと、真鍮又はステンレス蝶番、リング締め付け部品の組合せを特徴とする。
【発明の効果】
【０００８】本発明の、アンブレラ楽々バンドを、体に装着し傘を、セットする事で、傘（日傘を含む）を使用の外出時に、両手が自由に使えることが、手荷物等の持ち運びや、杖を必要の老人や体の不自由な人の安心感につながる。又雨天の自転車で傘使用の外出に、咄嗟の急ブレ−キが前後同時に使えて安全性が高く、装着が簡単で、安価な利点がある。
【発明を実施するための最良の形態】
【０００９】  ベルトは強力ナイロンを使うことで、傘の安定を損なわずに実現した。
【実施例】
【００１０】  図１はアンブレラ楽々バンド装着の図であり、図２は正面図とその側面図及び固定金具詳細原寸斜視図、平面図である。【００１１】強力ナイロンベルトを所用長さに切断し、ベルトの両端を加熱押しつけて、先端の繊維の固定をし、一端に差し込みプラスチックバックルにベルトを差し込み、アジャスター（８）に通し加熱折り曲げて、圧着してカシメピンにてカシメる、他端を受け入れプラスチックバックルに差し込み加熱加圧して、カシメピンにてカシメる。穴あきリング（３ｗ）ネジ付きカバ−（３）ネジ羽根（３ｎ）セットの傘握り柄固定リング（３）をリングバックル近くに加熱圧着し、カシメピンにてカシメた胴締めベルト（１）。【００１２】強力ナイロンベルトを所用の長さに切断し、ベルトの両先端を加熱押しつけて解れ止めをして、アジャスタ−（８）を差し込んだ、斜め吊りベルト（２）。ハ−ト形蝶番の片方の先端より、Ｕ字型に打ち抜き片側にカシメ穴（４ａ）を設ける。真鍮又はステンレスプレ−トをハ−ト型に切断根元より、Ｕ字型に打ち抜き片側にカシメ穴（４ａ）を設け蝶番のハ−トを合わせ、カシメピンを刺し込みカシメた、傘軸固定蝶番（４）を斜め吊りベルト（２）の長さの４／１０の位置に斜め加熱圧着しカシメた斜め吊りベルト（２）。【００１３】胴締めベルト（１）に吊りベルト（２）の両端を加熱し、斜めに圧着カシメ（カシメをミシン縫いにかえても良い。）たアンブレラ楽々バンド。【００１４】  着装使用するには、斜め吊りバンド（２）を肩に掛け、胴ベルト（１）のバックルを差し込み、傘の握り柄を固定リング（３ｗ）に差し、回しながら傘を開き、傘軸をハ−ト蝶番のＵ字に入れて、上のハ−ト（４ｕ）を回し、下のハ−トに揃えてから、ネジ羽根（３ｎ）をネジて固定となり装着完了である。【００１５】脱着は固定リング（３）のネジ羽根（３ｎ）を緩めて、ハートプレート（４ｕ）を回し、傘軸を倒しながら窄めて、傘の握り柄を抜く、胴バンドと斜め吊りバンドを外し丸めて収納する。
【産業上の利用可能性】
【００１６】雨天の自転車通勤や手荷物運搬、真夏の日傘が必要なとき使用する。女性用には、色彩を豊かにする。装着、脱着が容易とシンプル軽量で安価が、利用者に大いに役立つものである。
【図面の簡単な説明】
【００１７】
【図１】アンブレラ楽々バンド装着使用図である。
【図２】正面図、側面図、部品金物詳細図である。
【符号の説明】
【００１８】      １    強力ナイロン胴ベルト
２    強力ナイロン斜め吊りベルト
３    傘握り柄受け固定リング
３ｎ  傘握柄締め付けネジ羽根
３ｗ  傘握柄固定リング
４    傘軸ハ−ト型固定蝶番
４ａ  カシメ穴
４ｂ  カシメピン
４ｕ  傘軸ハ−ト型脱着プレ−ト
５    傘軸
６    傘握柄
７    ベルト、プラスチックバックル
８    ベルト、プラスチックアジャスタ−
９    洋傘
【図１】
2006015090.tif 000002
【図２】
2006015090.tif 000003
(57)【要約】【課題】傘の握りに取付けてある環状のひもを使って，傘を両端が壁等に固定してある掛け棒等には吊掛けて置くことができなかった。【解決手段】傘の握りに，端部にスナップボタンが取付けてある棒状のひもを取付けることによって，両端が壁等に固定してある掛け棒等に傘を吊掛けて置くことができる。【選択図】図１
2006015107.tif 000002
【特許請求の範囲】
【請求項１】
傘の握りに，端部にスナップボタンを付けた棒状のひもを取付けることによって，両端が壁等に固定してある掛け棒等に吊掛けることができる握りにスナップボタンを付けた棒状ひもを取付けた傘。
【発明の詳細な説明】
【技術分野】
【０００１】本発明は吊掛けて置き易くするため，握りにひもを取付けた傘に関するものである。
【背景技術】
【０００２】従来は，傘の握りに取付けてあるひもは棒状ではなく，そのひもにスナップボタンは付いていなかった。
【発明の開示】
【発明が解決しようとする課題】
【０００３】傘の握りに取付けてある環状のひもを使って，傘を両端が壁等に固定してある掛け棒等には吊掛けて置くことができなかった。
【課題を解決するための手段】
【０００４】傘の握りに，端部にスナップボタンを付けた棒状のひもを取付けることによって，両端が壁等に固定してある掛け棒等に吊掛けることができる握りにスナップボタンを付けた棒状ひもを取付けた傘。
【発明の効果】
【０００５】傘の握りに取付けた棒状のひもを掛け棒等に通して，ひもを環状にしてスナップボタンをかけることで，傘を両端が壁等に固定してある掛け棒等に吊掛けて置くことが可能となる。
【発明を実施するための最良の形態】
【０００６】以下，本発明の実施の形態について説明する。
（イ）棒状のひもを，傘を掛けようとする棒等に通す。
（ロ）傘を掛けようとする棒等に通したひもを環状にして，スナップボタンをとめて傘を吊掛けて置く。
【図面の簡単な説明】
【０００７】
【図１】    ひもを棒状にした状態を示す平面図である。
【図２】    ひもを棒状にした状態を示す横断図である。
【図３】    ひもを環状にしてスナップボタンをかけて，傘を吊掛けて置いた一般図である。
【符号の説明】
【０００８】  １  ひも
２  スナップボタン（メス）
３  スナップボタン（オス）
４  傘の握り部分
５  壁に取付けてある掛け棒
６  傘
【図１】
2006015107.tif 000003
【図２】
2006015107.tif 000004
【図３】
2006015107.tif 000005
(57)【要約】【課題】身体の不自由な人が衣服を着るときに感じる、わずらわしさやもどかしさ、等の精神的苦痛や体力の消耗を解消し、一人で安全に衣服の着替えが行える衣服装着補助器具を提供する。【解決手段】台座に外周壁を設け、外周壁には衣服止め金具と衣服の股部の垂れ下がりを防ぐための支え金具を取り付け、台座内底面には足入れ口を一対設けたことを特徴とする衣服装着補助器具。【選択図】図  ３
2006015103.tif 000002
【特許請求の範囲】
【請求項１】
半円形状の台座には外周壁を設け、外周壁には下着、ズボン等の衣服セット時に衣服の腰部円形形状を保つ手段として、外周壁に平行に衣服止め金具を均等に配置し、更にズボン股部の垂れ下がり防止手段として、支え金具を器具平面視中央に設け、支え金具の補強手段としては支え金具補強支柱を用いて支え金具を受け、台座底面にはズボン裾口の形状を保ち両足を挿入する時の目安となる足入れ口を左右対称に一対設けた衣服装着補助器具。
【発明の詳細な説明】
【技術分野】
【０００１】  本発明は身体に不自由を感じる人が下半身に装着する下着、ズボン、等の衣服を着る時に使用する介護用品としての衣服装着補助器具に関するものである。
【背景技術】
【０００２】  従来、老人や病中病後療養者、或いは身体障害者、等の人たちが衣服を着替えようとするときは、第三者による手助けにより着衣したり、自ら床や椅子に座っての着衣、或いは柱や家具に捕まったり、もたれたりして着衣をしていた。
【発明の開示】
【発明が解決しようとする課題】
【０００３】  老人や病中病後の療養者、或いは身体障害者等の人たちが第三者の手を借りての衣服の着替え、或いは自らによる衣服の着替えを行う時に感じるもどかしさや情けなさ、それに伴う精神的苦痛は計り知れないものがあると共に、体力的にも困難が生じる。又、自らにより立ったまま、或いは柱や家具にもたれての着替えでは転倒による事故が考えられる。
現に先進国、英国に於いてはその事例は年間５０００件に近いと言われている。
（ラジオ放送より）
本発明は上記問題点である、当人が感じるもどかしさや情けなさ、それに伴う精神的苦痛を和らげると共に身体に対する負担を軽くし、着衣時に発生する事故を軽減するために発明されたものである。
【課題を解決するための手段】
【０００４】  半円形状の台座（１）の周囲に外周壁（２）を設け、外周壁の平面視中央部には、ズボンの股部が垂れ下がるのを防ぐための支え金具（５）と支え金具補助支柱（６）を設け、更に外周壁にはズボン腰部の円形形状を保つために外周壁と平行に円弧状に形成され、ズボン腰部を折り曲げて掛けることのできる止め金具（４）を設ける。
台座底面には下着、ズボン装着時、左右両足を挿入する目安となる目的と、ズボン裾口の形状を保つ目的で足入れ口（３）を一対設ける。
これを使用する時は使用者自身、或いは第三者により予め本発明補助具に衣服をセットする。
その手順として、最初にズボン裾口を足入れ口（３）に挿入し、次に支え金具（５）にズボンを預け、順次ズボン腰部を止め金具（４）に掛ける。
この時、支え金具（５）、止め金具（４）の作用によりズボンの腰部周りは円形状に保たれ、更に足入れ口（３）により使用者は自身の足をそこへ導き、下着、ズボンを履く事ができる。同様の手順で下着をセットする事で、ズボン、下着の組み合わせでも下着だけでもセットして着る事ができる。
使用者は、椅子に座りセットされた衣服に足を通し両足のモモ部まで引き上げた後、立って腰まで衣服を引き上げて装着する。
【発明の効果】
【０００５】  本発明による、衣服装着補助器具を使用して自らにより下着、ズボンを着衣する事で、今までに味わったもどかしさ、はがゆさ、なさけなさ、等の精神的な苦痛や体力の消耗を少しでも和らげる事ができると共に、着替え中の転倒事故の防止にもつながる。
【発明を実施するための最良の形態】
【０００６】  以下、本発明の実施の形態について説明する。
（イ）・本発明の衣服装着補助器具を使用するにあたっては、自ら或いは第三者により事前に当事者が着衣する下着、ズボン等の衣服をセットしておく必要があり、その構造とセットの手順を説明すると、半円形状の台座（１）には、外周壁（２）を有し、底面にはズボンの裾を挿入する目的と、下着、ズボンを履くときに足を入れる目安とする目的で足入れ口（３）を設ける。
（ロ）・外周壁には、下着、ズボンを履くときに衣服の腰部を開いた状態、もしくは腰部形状を保つ目的で円弧状に形成された止め金具（４）を均等に複数箇所設ける。更に、衣服セット時にズボン股部の垂れ下がりを防ぐ目的で本発明の平面視中央元部より先端部にかけて、支え金具（５）と支え金具補助支柱（６）を設け、支え金具（５）の先端部は止め金具としても使用できる事とする。
（ハ）・本発明は以上の構成でなり、これを使用するにあたってはズボンを左右均等に振り分け、支え金具（５）に下着、ズボンを載せて、ズボン裾口を足入れ口（３）に被せる。次に、ズボン腰部の円形形状を保つために設けられた止め金具（４）に下着、ズボンの腰部を掛ける。この時、止め金具（４）と支え金具（５）の作用によりズボン腰部の円形形状はほぼ保たれ、ズボン裾口は足入れ口（３）により上面視確認できる。同様にして、ズボン、下着を順次重ねる事で同時に複数枚の衣服をセットして着ることができる。
使用者は椅子に座り、上記手順で用意された衣服に足を入れ両手でモモまで引き上げた後、立って腰まで引き上げる事で、一人で安全に着替えをする事ができる。
【図面の簡単な説明】
【０００７】
【図１】  本発明の正面図
【図２】  本発明の平面図
【図３】  本発明の斜視図
【図４】  本発明の使用状態を示す平面図
【図５】  本発明の使用状態を示す斜視図
【図６】  本発明の使用状態を示す斜視図
【符号の説明】
【０００８】１  半円形状の台座
２  外周壁
３  足入れ口
４  止め金具
５  支え金具
６  支え金具補強支柱
７  ズボン
８  ズボン裾口
９  椅子
【図１】
2006015103.tif 000003
【図２】
2006015103.tif 000004
【図３】
2006015103.tif 000005
【図４】
2006015103.tif 000006
【図５】
2006015103.tif 000007
【図６】
2006015103.tif 000008
(57)【要約】【目的】大腸内視鏡の挿入を容易とし、大腸内視鏡の回腸、腔腸までの挿入を可能とする。【構成】弾性に富むピアノ線で作られた連結シャフト８を繋げてゆき、その回転動力を外部ギヤ７、内部シャフト３、内部ギヤ４にて前方の大腸内視鏡用のシース筒１に取り付けた一部が外側に凸となった内部リング２に伝え伸展性に富む軟性ゴムのリングカバー５で覆い、内側の一部が凹となった外側リング１０に回転動力を伝える事で連結した螺旋状の硬性ゴム１１を回転させ奥へ前進してゆく事を可能とした大腸内視鏡シースであり、大腸内視鏡ファイバーの先端にストッパーを設けシースを大腸内視鏡ファイバーの先端より前方へ行かない様にすることで大腸内視鏡ファイバーそのものを一緒に奥へ進める事が出来る移動式のシースである。内部はリングカバー５、弾性カバー６、連結シャフトカバー９にて外部より遮断されており、内部の汚染を防ぐことができ、衛生を保つ事が出来る。【選択図】図２
2006015102.tif 000002
【特許請求の範囲】
【請求項１】
連結用のシャフトを繋げてゆき、その回転動力を前方の大腸内視鏡用のシースに取り付けた一部が外側に凸となったリング状の回転体に伝え伸展性に富む軟性ゴムのカバーで覆い、内側の一部が凹となった外側のリングに回転動力を伝える事で連結した螺旋状の硬性ゴムを回転させ奥へ前進してゆく事を可能とした大腸内視鏡シースであり、大腸内視鏡ファイバーの先端にストッパーを設けシースを大腸内視鏡ファイバーの先端より前方へ行かない様にすることで大腸内視鏡ファイバーそのものを一緒に奥へ進める事が出来る移動式のシースである。
【発明の詳細な説明】
【発明の詳細な説明】
【０００１】  本発明はシースの外側に取り付けたリングと共に連結した螺旋状の硬性ゴムを同心円状に回転させる事で大腸内視鏡ファイバーを通すシース事体をさらに奥へ、奥へと移動させる事を可能にしたもので、大腸内視鏡ファイバーの先端にリング状のストッパーを設けシースを大腸内視鏡ファイバーの先端より前方へ行かない様にすることで大腸内視鏡ファイバーそのものを一緒に奥へ進める事が出来、回腸、腔腸までの挿入を可能とできる。
【０００２】従来より大腸内視鏡ファイバーの挿入は熟練の医師ですら時間を要し、患者に少なからず苦痛を強いるものとなっている。理由は大腸内視鏡ファイバーをある程度の力で外から押したり引っ張ったりしなければ奥へは進めない部位が少なからず存在するからであり、外から加える力が大腸内視鏡ファイバーの先端に伝えずらい事が原因となっている。又、大腸内視鏡をそのまま小腸の内視鏡として使う事は不可能であった。
【０００３】本案はそれらの問題を解決する為に発案されたものであり、図面について説明すれば、弾性に富むピアノ線で作られた連結シャフト８の回転動力が外部ギヤ７により内部シャフト３に伝えられ、内部シャフト３が回転する事で内部ギヤ４が回転し、一部が外側に凸となった内部リング２が回転する。内部リング２は薄い伸展性に富んだ軟性ゴムのリングカバー５に覆われており、リングカバー５の一部は内部リング２の凸の部位に押されて外側へ凸となっていて同心円状に外側を移動する、その運動で内側の一部が凹となった外側のリング１０が回転し連結した螺旋状の硬性ゴム１１が一体となって回転することで大腸内視鏡用のシース筒１を奥へ進めてゆく事ができる。又、連結シャフト８により前後に同様の移動式シースの連結が可能であり、運動性能を増す事ができる。本案の移動式シースの内部はリングカバー５、弾性カバー６、連結シャフトカバー９にて外部より遮断されており、内部の汚染を防ぐことができ、衛生を保つ事が出来る。
【０００４】この様な構造であるから本案の移動式シースは大腸内視鏡ファイバーの回腸、腔腸までの挿入を可能にし、大腸内視鏡ファイバーと同様に洗浄して使用する事が出来る。
【図面の簡単な説明】
【図１】カバー部分を断面とした本案内部の平面図。
【図２】カバー部分を断面とし螺旋状の硬性ゴムをとりつけた側面図。
【図３】外側リングと螺旋状硬性ゴムの正面図。
【図４】外側リングと螺旋状硬性ゴムの側面図。
【図５】本案平面図。
【図６】本案側面図。
【図７】本案正面図。
【図８】本案斜視図。
【符号の説明】
１シース筒
２一部が外側に凸となった内部リング
３内部シャフト
４内部ギヤ
５リングカバー
６弾性カバー
７外部ギヤ
８連結シャフト
９連結シャフトカバー
１０内側の一部が凹となった外側リング
１１螺旋状の硬性ゴム
【図１】
2006015102.tif 000003
【図２】
2006015102.tif 000004
【図３】
2006015102.tif 000005
【図４】
2006015102.tif 000006
【図５】
2006015102.tif 000007
【図６】
2006015102.tif 000008
【図７】
2006015102.tif 000009
【図８】
2006015102.tif 000010